(57)【要約】【課題】偏心したバタフライ形逆止弁の本来の特性を活かしながら、格別な安全対策の必要性をなくし、閉鎖時間の調整が送水装置の運転中にあっても可能となり、回転手段が流体（水）に漂されることもないバタフライ形逆止弁とする。【解決手段】弁軸の少なくとも一端に、捩りトルクで作用する回転手段を弁箱の外部位置で連結してあることとし、前記した弁軸は弁体に対して偏心位置に備えられていることとし、前記した回転手段として捩りコイルバネを使用してあることとする。【選択図】          図１
2004270709.tif 000002
【特許請求の範囲】
【請求項１】
弁軸の少なくとも一端に、捩りトルクで作用する回転手段を弁箱の外部位置で連結してあることを特徴とするバタフライ形逆止弁。
【請求項２】
前記した弁軸は弁体に対して偏心位置に備えられていることを特徴とする請求項１に記載のバタフライ形逆止弁。
【請求項３】
前記した回転手段として捩りコイルバネを使用してあることを特徴とする請求項１または請求項２に記載のバタフライ形逆止弁。
【請求項４】
前記した回転手段は弁軸の一端面に形成された凹溝あるいは突起に回転駆動軸の一端に形成された突起あるいは凹溝を嵌合して連結し、前記回転駆動軸の他端に形成された穴に調整部材の一端を嵌入し、前記した回転駆動軸及び調整部材に形成された受穴に捩りコイルバネの各端部を嵌め付け、かつ、調整部材は弁箱の一部に固着してあることを特徴とする請求項１、請求項２または請求項３に記載のバタフライ形逆止弁。
【請求項５】
前記調整部材は止着用のフランジを一体的に有し、そのフランジを複数本のボルトで止着してあることを特徴とする請求項４に記載のバタフライ形逆止弁。
【請求項６】
前記した回転手段はケーシングの一方側に挿通された回転駆動軸を有し、その回転駆動軸の突出端面に形成された突起あるいは凹溝を前記した弁軸の一端に形成された凹溝あるいは突起と嵌合して連結し、前記した回転駆動軸の他端と、ケーシングの他方側を閉塞する調整部材に各々形成された受穴に捩りコイルバネの各端部を嵌め付けてあることを特徴とする請求項１、請求項２または請求項３に記載のバタフライ形逆止弁。
【請求項７】
前記した回転駆動軸の突出部分は軸受に挿入されていることを特徴とする請求項６に記載のバタフライ形逆止弁。
【請求項８】
前記した回転駆動軸はケーシング内の部分でフランジを一体に形成しており、捩りコイルバネの受穴はそのフランジに穿設されていることを特徴とする請求項６または請求項７に記載のバタフライ形逆止弁。
【請求項９】
前記した調整部材はケーシングの開口を蓋状に覆い、複数本のボルトで止着されていることを特徴とする請求項６、請求項７または請求項８に記載のバタフライ形逆止弁。
【請求項１０】
前記したケーシングはボルトで弁箱の一部に止着されていることを特徴とする請求項６、請求項７、請求項８または請求項９に記載のバタフライ形逆止弁。
【発明の詳細な説明】
【０００１】
【発明の属する技術分野】
本発明はバタフライ形逆止弁に関し、特に水の流通する管路に配置され、管路における他の弁の急閉鎖やポンプ停止時に発生する逆流での水撃現象を防止するバタフライ形逆止弁に関する。
【０００２】
【特許文献】
特開平１１−２０１３１０
【０００３】
【発明の背景】
従来より、逆止弁の性能は対象となる流体の特性、使用条件と密接に関係し、ポンプ等の送水装置の運転が十分に確保できるように種々の構造をしたものが知られている。
【０００４】
特に、前記した水撃対策を施した逆止弁としては、ウエイトや圧縮コイルバネ、引張コイルバネを利用した急閉補助機構や、弁閉鎖時間を遅らせることで水撃の圧力を一部逃がしてやる緩閉補助機構が付いた構造となっている。これらの補助機構の付いていない逆止弁で、水撃現象の衝撃を最も小さくできるものとして偏心したバタフライ形逆止弁が知られており、本発明も、基本的構造として、この偏心したバタフライ形逆止弁を想定している。
【０００５】
また、前述した特許文献に記載されているのはコイルバネを用いた逆止弁の構造の一つであり、水の流通方向に対して直線的に弁体をコイルバネで附勢しており、水流のない時や逆流時にはそのコイルバネで弁箱の開口に弁体を押し付け、流路を閉塞する構造となっている。
【０００６】
【発明が解決しようとする課題】
しかしながら、上記した偏心したバタフライ形逆止弁は、その構成から送水装置そのものへの悪影響は少ないが、昨今の住宅環境等への影響を考えると必ずしも十分ではなく、急閉作用を高める手段としてウエイトやバネを利用する方法がある。但し、これらの部品を弁箱の外部に取り付けると、送水装置の使用条件に合わせて閉鎖時間を調整することが可能となるが、これらの部品は可動部品であるため，防護柵や防護カバーを取り付ける等の安全対策が必要となる。
【０００７】
また、ウエイトやバネを弁箱内に取り付けると前記した安全対策は不要となるが、閉鎖時間の調整が不可能となり、調整の必要が生じた場合にはその都度、送水装置の運転を中断しなければならない不便があった。
【０００８】
【発明の目的】
本発明は上記した従来の実情、問題点に着目してなされたもので、かかる問題点を解消して、偏心したバタフライ形逆止弁の本来の特性を活かしながら、格別な安全対策の必要性をなくし、閉鎖時間の調整が送水装置の運転中にあっても可能となり、回転手段が流体（水）に漂されることもないバタフライ形逆止弁を提供することを目的としている。
【０００９】
【課題を解決するための手段】
この目的を達成するために、本発明に係るバタフライ形逆止弁は弁軸の少なくとも一端に、捩りトルクで作用する回転手段を弁箱の外部位置で連結してあることを特徴とし、前記した弁軸は弁体に対して偏心位置に備えられていることを特徴とし、前記した回転手段として捩りコイルバネを使用してあることを特徴としている。
【００１０】
また、本発明に係るバタフライ形逆止弁は前記した回転手段は弁軸の一端面に形成された凹溝あるいは突起に回転駆動軸の一端に形成された突起あるいは凹溝を嵌合して連結し、前記回転駆動軸の他端に形成された穴に調整部材の一端を嵌入し、前記した回転駆動軸及び調整部材に形成された受穴に捩りコイルバネの各端部を嵌め付け、かつ、調整部材は弁箱の一部に固着してあることを特徴とし、前記調整部材は止着用のフランジを一体的に有し、そのフランジを複数本のボルトで止着してあることを特徴としている。
【００１１】
さらに、本発明に係るバタフライ形逆止弁は前記した回転手段はケーシングの一方側に挿通された回転駆動軸を有し、その回転駆動軸の突出端面に形成された突起あるいは凹溝を前記した弁軸の一端に形成された凹溝あるいは突起と嵌合して連結し、前記した回転駆動軸の他端と、ケーシングの他方側を閉塞する調整部材に各々形成された受穴に捩りコイルバネの各端部を嵌め付けてあることを特徴とし、前記した回転駆動軸の突出部分は軸受に挿入されていることを特徴とし、前記した回転駆動軸はケーシング内の部分でフランジを一体に形成しており、捩りコイルバネの受穴はそのフランジに穿設されていることを特徴とし、前記した調整部材はケーシングの開口を蓋状に覆い、複数本のボルトで止着されていることを特徴とし、前記したケーシングはボルトで弁箱の一部に止着されていることを特徴としている。
【００１２】
【作用】
係る構成としたことによって回転手段が流体（水）に漂されてしまうこともなく、弁箱の外部に露出することもなくなるので、防護柵や防護カバー等の安全対策は不要となり、送水装置の運転中であっても閉鎖時間の調整も可能となるのである。
【００１３】
【発明の実施の形態】
次に、本発明の好ましい実施の形態を図面を参照して説明する。図１は本発明を実施したバタフライ形逆止弁を示す正面断面図、図２は同じく側面図、図３は同じく回転手段の拡大図、図４は同じく第二の実施例を示す正面断面図、図５は同じく側面図、図６は同じく回転手段の拡大図である。
【００１４】
これらの図にあって１０は弁箱を示しており、この弁箱１０の一次側と二次側の開口縁には流路用の管体等と接合される接合フランジ１１ａ・１１ｂが設けられている。１３は弁体を示しており、この弁体１３の上面側に一体に形成された貫通孔を備えた一対のボス１３ａ・１３ａに弁軸１４が貫通されて前記弁箱１０内に組み込まれている。
【００１５】
弁軸１４はボス１３ａ・１３ａにピン２３・２３によって一体化されており、この弁軸１４を軸として弁体１３はスイング動作をするものとされている。また、弁軸１４は弁体１３の中心位置よりもやや上方へ偏心された位置に取り付けられ、傾斜された配置の環状弁座１２とその周縁を当接して弁箱１０内にあって流路を閉鎖するものとされている。
【００１６】
弁軸１４の取付まわりにはシール材１９が取り付けられ、その軸受２５にもシール材２０が取り付けられて弁箱１０内を流通する流体が外部に漏洩しないように完全なシールが施されている。
【００１７】
なお、前記した弁箱１０は一次側の弁箱１０ｂと二次側の弁箱１０ａとの二つのパーツに分割されたものを弁座１２を組み付けた傾斜状の接合フランジ１０ｃ・１０ｄで当接し、その接合フランジ１０ｃ・１０ｄを貫通する挿通孔１０ｅ・１０ｅにボルトを通して締結することで一体化された構造となっており、弁体１３は二次側の弁箱１０ａ側に配備されることとなる。
【００１８】
また、前記した弁軸１４の一方側端面には凹溝１４ａが設けられており、その凹溝１４ａに回転駆動軸１６の一方側端面に形成された突起１６ａが嵌合されて連結されているもので、回転駆動軸１６と弁軸１４の回転を同期させるようになっている。
【００１９】
前記した回転駆動軸１６の他端には円筒状をした嵌合穴１６ｂが設けられており、その嵌合穴１６ｂにバネの調整部材（金具）１７の一端に設けられた円柱状突起１７ｂが嵌め合わされて連結され、相互に自由回転ができるようになっている。
【００２０】
調整部材（金具）１７の円柱状突起１７ｂに続けて段状に中径部１７ｃが設けられており、この中径部１７ｃに捩りコイルバネ１５の一端が嵌め入れられる受穴１７ｄが形成されている。捩りコイルバネ１５の他端は回転駆動軸１６の突起１６ａ寄りに設けられた受穴１６ｃに嵌め入れられている。
【００２１】
そして、調整部材（金具）１７の後端寄りにはリング状としたフランジ１７ａが形成されており、このフランジ１７ａを介して複数本のボルト１８・１８‥によって調整部材（金具）１７は接合フランジ１０ｃの側端面に止着される。
【００２２】
この実施の形態にあって、弁体１３の急閉鎖時間の調整は捩りコイルバネ１５の取り付け捩り角を大きくする方法が採られ、前記した回転手段を弁軸１４に連結した後に、複数本のボルト１８・１８‥のピッチ分、調整部材（金具）１７のみを回して、ボルト１８・１８‥で止着セットすることによりなされる。
【００２３】
次いで、図４乃至図６として示すのは本発明の第二の実施例である。第一実施例と共通する部分には共通の符号を付して詳しい説明は省略する。
【００２４】
この第二の実施例にあって弁軸１４の一端に形成された凹溝１４ａに連結される回転駆動軸１６ｄは第一の実施例における回転駆動軸１６よりも太径となっており、突起１６ｅも長いものとされ、その回転駆動軸１６ｄの周囲には軸受２２が配置されている。
【００２５】
この回転駆動軸１６ｄはケーシング２１の一方側の挿通孔２１ａから突出されたものとなっており、回転駆動軸１６ｄのケーシング２１内に位置する後端にはフランジ１６ｆが一体に形成されている。
【００２６】
前記したケーシング２１の後面開口は調整部材（金具）１７ｅによって施蓋されている。この調整部材（金具）１７ｅは複数本のボルト１８・１８‥により止着されるが、調整部材（金具）１７ｅの裏面中央には中空とした円柱状の突起１７ｆが一体に形成され、後述する捩りコイルバネ１５ａの補助を行なっている。
【００２７】
この調整部材（金具）１７ｅの突起１７ｆの近傍には捩りコイルバネ１５ａの一端が嵌め入れられる受穴１７ｇが設けられている。捩りコイルバネ１５ａの他端は回転駆動軸１６ｄのフランジ１６ｆに設けられた受穴１６ｇに嵌め入れられるもので、この受穴１６ｇは受穴１７ｇと点対称の位置とされている。なお、１７ｈは受穴１７ｇを塞ぐ栓である。
【００２８】
この第二の実施例にあって、弁体１３の急閉鎖時間の調整は、第一の実施例と同様に捩りコイルバネ１５ａの捩り角を大きくする方法が採られる。まず、軸受２２を弁箱１０、詳しくは接合フランジ１０ａの軸穴へ挿入した後に、ケーシング２１をボルト２４によってその接合フランジ１０ａの側端面へ取り付ける。
【００２９】
その後に、回転駆動軸１６ｄを軸受２２内に挿し込み、先端の突起１６ｅを弁軸１４の凹溝１４ａへ嵌合させて連結させ、捩りコイルバネ１５ａの一端を受穴１６ｇへ嵌め付ける。そして、捩りコイルバネ１５ａの他端を調整部材（金具）１７ｅの受穴１７ｇへ嵌め付け、複数本のボルト１８・１８‥のピッチ分調整部材（金具）１７ｅのみを回して、ボルト１８・１８‥によって止着する。
【００３０】
本実施の形態に係るバタフライ形逆止弁は上記のように構成されている。従って、弁箱１０内に水が未流通の場合、捩りコイルバネ１５・１５ａの附勢力によって弁軸１４は抑えられ、流路を閉鎖する状態となっており、流水時には、水圧で捩りコイルバネ１５・１５ａの附勢力に抗して弁体１３を押し開けることとなる。そして、送水装置の停止や流路にある他の弁の閉鎖等があった場合、捩りコイルバネ１５・１５ａが作用して弁軸１４を回転させ、強いては弁体１３を作動させて流路を閉鎖することとなる。
【００３１】
【発明の効果】
本発明に係るバタフライ形逆止弁は上述のように構成され、作用する。そのために、回転手段が流体（水）に漂されてしまうことがなく、可動部品が弁箱の外部に露出することもないので防護柵や防護カバー等の安全対策も不要となり、ポンプ等の送水装置の運転中でも、これを中断することなく閉鎖時間の調整を行なうことが可能となるので、水撃現象に対するバタフライ形逆止弁、特に偏心したバタフライ形逆止弁の特性をさらに高めるものとなっている。
【図面の簡単な説明】
【図１】本発明を実施したバタフライ形逆止弁を示す正面断面図である。
【図２】側面図である。
【図３】回転手段の拡大図である。
【図４】第二の実施例を示す正面断面図である。
【図５】側面図である。
【図６】回転手段の拡大図である。
【符号の説明】
１０  弁箱
１０ｃ  接合フランジ
１０ｄ  接合フランジ
１１ａ  接合フランジ
１１ｂ  接合フランジ
１２  弁座
１３  弁体
１３ａ  ボス
１４  弁軸
１４ａ  凹溝
１５  捩りコイルバネ
１５ａ  捩りコイルバネ
１６  回転駆動軸
１６ａ  突起
１６ｂ  嵌合穴
１６ｃ  受穴
１６ｄ  回転駆動軸
１６ｅ  突起
１６ｆ  フランジ
１６ｇ  受穴
１７  調整部材（金具）
１７ａ  フランジ
１７ｂ  円柱状突起
１７ｃ  中径部
１７ｄ  受穴
１７ｅ  調整部材（金具）
１７ｆ  突起
１７ｇ  受穴
１７ｈ  栓
１８  ボルト
１９  シール材
２０  シール材
２１  ケーシング
２２  軸受
２３  ピン
２４  ボルト
２５  軸受
【図１】
2004270709.tif 000003
【図２】
2004270709.tif 000004
【図３】
2004270709.tif 000005
【図４】
2004270709.tif 000006
【図５】
2004270709.tif 000007
【図６】
2004270709.tif 000008